(57)【特許請求の範囲】
【請求項１】
車体後部の荷室と、車体後面開口部と、該車体後面開口部の上縁近傍部に軸支され、該車体後面開口部を開閉自在に覆うリフトゲートと、上記荷室を上方から覆うトノカバー部材とを備えている車両の後部荷室構造であって、
最後列シートの車両後側近傍に車幅方向に延びるように配設され、上記トノカバー部材を巻き取る巻取り装置をさらに備えており、
上記リフトゲートの内面部には被係合部が配設されており、
上記トノカバー部材は、伸縮性を有するカバー本体部分と、該カバー本体部分の後端に連結され、後端部が上記被係合部に係合可能に構成され、形状保持性を持つボード部とを有しており、
上記トノカバー部材が上記リフトゲートに係合された状態のときにおいて該リフトゲートの開閉に応じて上記トノカバー部材が上下動し、
上記リフトゲートが全閉状態のときにおいて上記リフトゲートの内面部の車幅方向両端部における上記被係合部よりも上側には、該リフトゲートが全開状態で且つ上記トノカバー部材が該リフトゲートに係合された状態のときにおいて上記ボード部が当接して該ボード部が上側に移動するのを規制することにより上記カバー本体部分が上側に移動するのを規制する規制部がそれぞれ配設されていることを特徴とする車両の後部荷室構造。
【請求項２】
請求項１記載の車両の後部荷室構造において、
上記規制部は、リフトゲートトリムに一体に成形された膨出部であることを特徴とする車両の後部荷室構造。
【請求項３】
請求項１又は２記載の車両の後部荷室構造において、
上記ボード部の車幅方向両端部には、上記リフトゲートが全開状態で且つ上記トノカバー部材が上記リフトゲートに係合された状態のときにおいて上記規制部に当接する樹脂製の当接部がそれぞれ配設されていることを特徴とする車両の後部荷室構造。
【発明の詳細な説明】
【技術分野】
【０００１】
本発明は、車体後部の荷室と、車体後面開口部と、該車体後面開口部の上縁近傍部に軸支され、該車体後面開口部を開閉自在に覆うリフトゲートと、上記荷室を上方から覆うトノカバー部材とを備えている車両の後部荷室構造に関するものである。
【背景技術】
【０００２】
従来の車両の後部荷室構造においては、リフトゲートの開閉操作に連動してトノカバー部材が開閉するように構成され、リフトゲートを開放したときにトノカバー部材を上方に移動させて荷室内に対する荷物の出し入れを行えるようになっている。
【０００３】
ところで、リフトゲートを閉めたときに、荷室内の荷物を確実に覆うためトノカバー部材の車幅方向寸法を車体後面開口部の下部と略同じ寸法にする必要があるが、例えば、車体後面開口部が下縁部よりも上縁部の短い台形状に構成された自動車の場合、リフトゲートを全開したときにトノカバー部材の車幅方向両端部がリアピラーと干渉する虞がある。
【０００４】
特許文献１には、最後列シートの車両後方近傍にボード部材を配設し、このボード部材の後部にトノカバー部材を巻き取る巻取り装置を配設することにより、ボード部材の分、巻取り装置を車両後方に配置することで、リフトゲートを全開したときにトノカバー部材の車幅方向両端部がリアピラーと干渉しないように構成されたものが開示されている。
【先行技術文献】
【特許文献】
【０００５】
【特許文献１】特開２０００−１０８７８７号公報
【発明の概要】
【発明が解決しようとする課題】
【０００６】
しかしながら、特許文献１の構成は、ボード部材を配設しているため、このボード部材の分、構造の複雑化やコストアップを招き、また、見栄えや荷物の搭載性も悪くなるという課題がある。
【０００７】
本発明は、かかる点に鑑みてなされたものであり、その課題とするところは、ボード部材を配設することなく、簡単な構造で容易に、リフトゲートを全開したときにトノカバー部材がリアピラーと干渉しないようにすることにある。
【課題を解決するための手段】
【０００８】
上記の課題を解決するため、本発明は、リフトゲートが全開状態で且つトノカバー部材がリフトゲートに係合された状態のときにおいて、リフトゲートの内面部に配設した規制部によってトノカバー部材のカバー本体部分が上側に移動するのを規制することを特徴とする。
【０００９】
具体的には、本発明は、車体後部の荷室と、車体後面開口部と、該車体後面開口部の上縁近傍部に軸支され、該車体後面開口部を開閉自在に覆うリフトゲートと、上記荷室を上方から覆うトノカバー部材とを備えている車両の後部荷室構造を対象とし、次のような解決手段を講じた。
【００１０】
すなわち、第１の発明は、最後列シートの車両後側近傍に車幅方向に延びるように配設され、上記トノカバー部材を巻き取る巻取り装置をさらに備えており、上記リフトゲートの内面部には被係合部が配設されており、上記トノカバー部材は、伸縮性を有するカバー本体部分と、該カバー本体部分の後端に連結され、後端部が上記被係合部に係合可能に構成され、形状保持性を持つボード部とを有しており、上記トノカバー部材が上記リフトゲートに係合された状態のときにおいて該リフトゲートの開閉に応じて上記トノカバー部材が上下動し、上記リフトゲートが全閉状態のときにおいて上記リフトゲートの内面部の車幅方向両端部における上記被係合部よりも上側には、該リフトゲートが全開状態で且つ上記トノカバー部材が該リフトゲートに係合された状態のときにおいて上記ボード部が当接して該ボード部が上側に移動するのを規制することにより上記カバー本体部分が上側に移動するのを規制する規制部がそれぞれ配設されていることを特徴とするものである。
【００１１】
これによれば、リフトゲートが全開状態で且つトノカバー部材がリフトゲートに係合された状態のときにおいて、リフトゲートが全閉状態のときにおいてリフトゲートの内面部の車幅方向両端部における被係合部よりも上側にそれぞれ配設された規制部に、ボード部が当接してボード部が上側に移動するのを規制することにより、カバー本体部分が上側に移動するのを規制するので、リフトゲートを全開したときに、トノカバー部材の形状が車両側面視において略逆へ字形状（略Ｌ字形状）となり、カバー本体部分がリアピラーから遠ざかる。このため、ボード部材を配設することなく、簡単な構造で容易に、リフトゲートを全開したときにトノカバー部材がリアピラーと干渉しないようにすることができる。
【００１２】
第２の発明は、上記第１の発明において、上記規制部は、リフトゲートトリムに一体に成形された膨出部であることを特徴とするものである。
【００１３】
これによれば、規制部は、リフトゲートトリムに一体に成形された膨出部であるので、規制部の成形性と見栄えを向上させることができる。
【００１４】
第３の発明は、上記第１又は２の発明において、上記ボード部の車幅方向両端部には、上記リフトゲートが全開状態で且つ上記トノカバー部材が上記リフトゲートに係合された状態のときにおいて上記規制部に当接する樹脂製の当接部がそれぞれ配設されていることを特徴とするものである。
【００１５】
これによれば、リフトゲートが全開状態で且つトノカバー部材がリフトゲートに係合された状態のときにおいて、リフトゲートの内面部の車幅方向両端部における被係合部よりも上側にそれぞれ配設された規制部に、ボード部の車幅方向両端部にそれぞれ配設された樹脂製の当接部が当接してボード部が上側に移動するのを規制することにより、カバー本体部分が上側に移動するのを規制するので、そのような比較的強度の高い樹脂製の当接部によって安定した当接強度を確保することができ、カバー本体部分の上側移動の規制を安定した状態にすることができる。
【発明の効果】
【００１６】
本発明によれば、リフトゲートが全開状態で且つトノカバー部材がリフトゲートに係合された状態のときにおいて、リフトゲートが全閉状態のときにおいてリフトゲートの内面部の車幅方向両端部における被係合部よりも上側にそれぞれ配設された規制部に、ボード部が当接してボード部が上側に移動するのを規制することにより、カバー本体部分が上側に移動するのを規制するので、リフトゲートを全開したときに、トノカバー部材の形状が車両側面視において略逆へ字形状となり、カバー本体部分がリアピラーから遠ざかるため、ボード部材を配設することなく、簡単な構造で容易に、リフトゲートを全開したときにトノカバー部材がリアピラーと干渉しないようにすることができる。
【図面の簡単な説明】
【００１７】
【図１】本発明の実施形態に係る車両の後部荷室構造を側面から見た部分断面図である。
【図２】リフトゲートが全開状態で且つトノカバー部材がリフトゲートに係合された状態のときにおける車両の後部荷室構造を示す背面図である。
【図３】リフトゲートが全開状態で且つトノカバー部材がリフトゲートに係合された状態のときにおける車両の後部荷室構造の要部を示す背面斜視図である。
【図４】規制部がリフトゲートに形成されていない場合と形成された場合におけるトノカバー部材のリアピラーへの接触状態を模式的に示す側面図である。
【発明を実施するための形態】
【００１８】
以下、本発明の実施形態を図面に基づいて詳細に説明する。
【００１９】
本実施形態は、最後列シートのシートバックの車両後側に車両前後方向長さが比較的長い荷室が設けられたハッチバック型、バン型、ワゴン型等の自動車において、荷室内に収納される荷物を上方から覆うトノカバー装置を備えた車両の後部荷室構造に、本発明を適用した場合の例である。
【００２０】
図１〜図３に示すように、自動車の後部には、下縁部よりも上縁部の短い略台形状の車体後面開口部２と、車体後面開口部２における上縁近傍部のヒンジ部に軸支され、車体後面開口部２を開閉自在に覆う下開き式のリフトゲート（バックドア）３と、車体後面開口部２の車両前方の荷室４と、荷室４の車両前側に装備された最後列シート５と、最後列シート５のシートバック６の車両後側に装備されたトノカバー装置３０などが設けられている。
【００２１】
次に、リフトゲート３について説明する。リフトゲート３は、下側壁２１と、左右の側壁２２，２２と、上側壁２３とを備えている。下側壁２１は、自動車の略半分の高さまで立ち上がっている。各側壁２２は、下側壁２１の車幅方向両端部分の上部から上方に立ち上がっている。この側壁２２は、車体前方に向かうに従って上方に向かうように傾斜されている。上側壁２３は、左右側壁２２，２２の上端部間を跨ぐように車幅方向に延びている。下側壁２１、側壁２２及び上側壁２３は、リフトゲートウインドウ用開口を形成しており、その開口にはリフトゲートウインドウが設けられている。下側壁２１、側壁２２及び上側壁２３には、その各車両前側（車内側）において樹脂製のトリムがそれぞれ設けられている。そして、下側壁トリム２４、側壁トリム２５及び上側壁トリムがリフトゲートトリムを構成している。
【００２２】
次に、荷室４について説明する。荷室４は、その上下がルーフ１１とフロアパネル１２とにより区画されている。このルーフ１１の後縁部が車体後面開口部２の上縁部を構成している。フロアパネル１２は、荷室４の領域全体に亘って平坦な状態とされている。このフロアパネル１２の後縁部が車体後面開口部２の下縁部を構成している。
【００２３】
また、荷室４は、その左右が車体後部の左右の後部側壁１３，１３により区画されている。各後部側壁１３は、下側側壁１４と、リアピラー１５とを備えている。各下側側壁１４は、自動車の左右各側において、フロアパネル１２から自動車の略半分の高さまで立ち上がっている。各リアピラー１５は、下側側壁１４の後側上部から上方に立ち上がっている。このリアピラー１５は、車体前方に向かうに従って上方に向かうように傾斜されている。このような各後部側壁１３は、そのリアピラー１５がルーフ１１の後部を支持している。これに伴い、下側側壁１４、リアピラー１５及びルーフ１１は、リアクウォータウインドウ用開口１６を形成することになり、その開口１６にはリアクウォータウインドウ１７が設けられている。
【００２４】
下側側壁１４及びリアピラー１５には、その各車幅方向内側において樹脂製のトリムがそれぞれ設けられている。下側側壁トリム１８には、最後列シート５のシートバック６の上端部の車両後側近傍においてケース用凹所が形成されている。そして、リアピラートリムとリアピラー１５とが車体後面開口部２の側縁部を構成している。
【００２５】
さらに、荷室４は、その前後が最後列シート５とリフトゲート３とにより区画されている。最後列シート５は、フロアパネル１２上に設けられている。
【００２６】
次に、トノカバー装置３０について説明する。トノカバー装置３０は、シートバック６の上端部の車両後側近傍位置に設けられた収容ケース３１と、後端部がリフトゲート３の内面部に係合可能に構成されたトノカバー部材３２などを有している。
【００２７】
収容ケース３１は、左右後部側壁１３，１３間を跨ぐように車幅方向に延びており、その両端部は左右の下側側壁トリム１８，１８のケース用凹所に嵌合保持されている。収容ケース３１内には、トノカバー部材３２の前側部分のカバー本体部分３５を巻き取る方向に付勢する巻取り機構３３が車幅方向に延びるように配設され、この巻取り機構３３にトノカバー部材３２の前端部が回動可能に軸支されている。この収容ケース３１及び巻取り機構３３が、最後列シート５の車両後側近傍に車幅方向に延びるように配設され且つトノカバー部材３２を巻き取る巻取り装置３４を構成している。そして、巻取り機構３３の付勢力によりカバー本体部分３５に付与された張力によって、カバー本体部分３５が車両前後方向に展張される。
【００２８】
トノカバー部材３２は、伸縮性を有する生地で構成されたカバー本体部分３５と、カバー本体部分３５の後端に車幅方向に延びる軸周りに回動可能に連結され、形状保持性を有する樹脂で構成され、トノカバー部材３２が巻取り装置３４に巻き取られた状態のときにおいて巻取り装置３４から下方に垂下したボード部３６などを有し、トノカバー部材３２の車幅方向寸法が、車体後面開口部２の上縁部の車幅方向寸法よりも長く且つ車体後面開口部２の下部と略同じになるように構成されている。
【００２９】
ボード部３６の外周形状は、略円弧と直線とで構成されている。ボード部３６の後部において車幅方向両端部分には係合部３７がそれぞれ設けられ、各係合部３７は、リフトゲート３において下側壁トリム２４の車幅方向両端部分のリフトゲートウインドウ下縁近傍部にそれぞれ設けた被係合部３ａに係合連結され、リフトゲート３の開閉に応じてトノカバー部材３２が上下動するように連係されている。
【００３０】
上述のように、トノカバー部材３２は、カバー本体部分３５の後端に連結されたボード部３６を有するので、トノカバー部材３２の後側部分の強度を高めることができる。そのため、リフトゲート３にトノカバー部材３２を連結するための係合部３７をボード部３６に取り付けることができ、リフトゲート３を開いたときにトノカバー部材３２の後端部が車両後方に引っ張られた場合にも、トノカバー部材３２に対して十分な強度を確保することができる。
【００３１】
リフトゲート３の内面部の車幅方向両端部分において被係合部３ａよりも上側（この位置関係は、リフトゲート３の閉時における状態をいう。言い換えると、リフトゲート３上縁側）には、トノカバー部材３２の車幅方向両端部がリアピラー１５（車体後面開口部２の周縁部）と干渉しないように、リフトゲート３が全開状態で且つトノカバー部材３２がリフトゲート３に係合された状態のときにおいてボード部３６が当接してボード部３６の前端側が上側且つ車両前方（リフトゲート３外面側）に移動するのを規制することによりカバー本体部分３５の後端側が上側且つ車両前方に移動するのを規制する規制部４０がそれぞれ設けられている。つまり、各規制部４０は、リフトゲート３が全開状態で且つトノカバー部材３２がリフトゲート３に係合された状態のときにおいてボード部３６が係合部３７及び被係合部３ａの係合部分に位置し且つ車幅方向に延びる回動軸を中心として上側（図１では時計回り）に回動するのを規制することにより、カバー本体部分３５が車幅方向に延びる、巻取り機構３３の軸を中心として上側（図１では反時計回り）に回動するのを規制するようになっている。このように、規制部４０によってカバー本体部分３５の後端側が上側且つ車両前方に移動するのを規制することで、トノカバー部材３２の形状が車両側面視においてカバー本体部分３５及びボード部３６の連結部分が下側且つ車両後方に突出する略逆へ字形状（略Ｌ字形状）とされる。各規制部４０は、リフトゲート３の各側壁トリム２５の車幅方向内側に車幅方向内側に膨出するように一体に成形された樹脂製の膨出部である。各規制部４０の車両前側（図１に示す状態では下側）には、リフトゲート３が全開状態で且つトノカバー部材３２がリフトゲート３に係合された状態のときにおいてボード部３６が当接する、平面で構成された被当接面４１が設けられている。
【００３２】
また、ボード部３６の前縁部において車幅方向両端部分には、リフトゲート３が全開状態で且つトノカバー部材３２がリフトゲート３に係合された状態のときにおいて各規制部４０の被当接面４１に当接する樹脂製の当接部４２がそれぞれ一体に設けられている。各当接部４２は、その車幅方向外側端部がボード部３６から車幅方向外側に突出した矩形状の板状部材で構成されており、その車幅方向外側端部の上面は、リフトゲート３が全開状態で且つトノカバー部材３２がリフトゲート３に係合された状態のときにおいて各規制部４０の被当接面４１に当接するようになっている。
【００３３】
次に、トノカバー装置３０の作用、効果について図１〜図４に基づいて説明する。
【００３４】
トノカバー部材３２を巻取り装置３４に巻き取ると、ボード部３６が巻取り装置３４から下方に垂下する。一方、トノカバー部材３２をリフトゲート３に係合するときには、図１において二点鎖線で示すように、巻取り装置３４から下方に垂下したボード部３６を上方に持ち上げて、トノカバー部材３２を巻取り装置３４から車両後方に引き出し、トノカバー部材３２をリフトゲート３に連結する。
【００３５】
また、トノカバー部材３２がリフトゲート３に係合された状態で、リフトゲート３を開くと、トノカバー部材３２の後端部が車両後方へ斜めに上昇することで、カバー本体部分３５の後端部が車両後方且つ上方に引っ張られて、図１において実線で示すように、カバー本体部分３５が巻取り装置３４から引き出され、トノカバー部材３２が上昇位置に到達したとき、荷室４の上方に開口が開放される。
【００３６】
このとき、上述のように、リフトゲート３の内面部に形成された各規制部４０は、その被当接面４１にボード部３６の各当接部４２の上面が当接してボード部３６の前端側が斜め上前方に移動するのを規制することによりカバー本体部分３５の後端側が斜め上前方に移動するのを規制することで、図１において実線で示すように、トノカバー部材３２の形状を車両側面視において略逆へ字形状とするので、リフトゲート３の全開時に、カバー本体部分３５の車幅方向両端部がリアピラー１５から遠ざかり、リアピラー１５に干渉することがない。しかも、このときにカバー本体部分３５がリアピラー１５と干渉しないので、トノカバー装置３０が破損するのを防止できる。
【００３７】
図４は、規制部４０がリフトゲート３に形成されていない場合と形成された場合におけるトノカバー部材３２のリアピラー１５への接触状態を模式的に示す側面図である。規制部４０がリフトゲート３に形成されていないと、図４において二点鎖線で示すように、リフトゲート３の全開時に、トノカバー部材３２の形状が略直線形状となり、カバー本体部分３５がリアピラー１５に接触してしまう。しかしながら、本実施形態のように、規制部４０がリフトゲート３に形成されていると、図４において実線で示すように、リフトゲート３の全開時に、ボード部３６が規制部４０に当接することで、トノカバー部材３２の形状が略逆へ字形状となり、これに伴い、カバー本体部分３５が上記接触位置から遠ざかり、リアピラー１５に接触することがない。
【００３８】
一方、トノカバー部材３２がリフトゲート３に係合された状態で、リフトゲート３を閉じると、トノカバー部材３２が下降位置に移動し、図１において二点鎖線で示すように、トノカバー部材３２が水平展張されるので、荷室４の上方の開口が覆われる。
【００３９】
−効果−
以上より、本実施形態によれば、リフトゲート３が全開状態で且つトノカバー部材３２がリフトゲート３に係合された状態のときにおいて、リフトゲート３が全閉状態のときにおいてリフトゲート３の内面部の車幅方向両端部における被係合部３ａよりも上側にそれぞれ配設された規制部４０に、ボード部３６が当接してボード部３６が上側に移動するのを規制することにより、カバー本体部分３５が上側に移動するのを規制するので、リフトゲート３を全開したときに、トノカバー部材３２の形状が車両側面視において略逆へ字形状となり、カバー本体部分３５がリアピラー１５から遠ざかる。このため、ボード部材を配設することなく、簡単な構造で容易に、リフトゲート３を全開したときにトノカバー部材３２がリアピラー１５と干渉しないようにすることができる。
【００４０】
また、規制部４０は、リフトゲートトリムに一体に成形された膨出部であるので、規制部４０の成形性と見栄えを向上させることができる。
【００４１】
さらに、リフトゲート３が全開状態で且つトノカバー部材３２がリフトゲート３に係合された状態のときにおいて、リフトゲート３の内面部の車幅方向両端部における被係合部３ａよりも上側にそれぞれ配設された規制部４０に、ボード部３６の車幅方向両端部にそれぞれ配設された樹脂製の当接部４２が当接してボード部３６が上側に移動するのを規制することにより、カバー本体部分３５が上側に移動するのを規制するので、そのような比較的強度の高い樹脂製の当接部４２によって安定した当接強度を確保することができ、カバー本体部分３５の上側移動の規制を安定した状態にすることができる。
【００４２】
（その他の実施形態）
上記実施形態では、被係合部３ａは、リフトゲート３においてリフトゲートウインドウ下縁近傍部に設けられているが、これに限らず、例えば、リフトゲートウインドウ下縁部から下方に離間した部分に設けられてもよい。
【００４３】
また、上記実施形態では、ボード部３６は樹脂で構成されているが、形状保持性を有する限り、これに限らず、例えば、フェルト状のものを固めて作られてもよい。
【００４４】
さらに、上記実施形態では、規制部４０は、リフトゲートトリムに一体成形された膨出部であるが、これに限らず、例えば、リフトゲート３とは別部材であってもよい。但し、規制部４０の成形性と見栄えの向上の観点からは、膨出部であるのが望ましい。
【００４５】
さらにまた、上記実施形態では、規制部４０にボード部３６に形成された樹脂製の当接部４２が当接しているが、これに限らず、例えば、ボード部３６自体が当接してもよい。
【００４６】
本発明は、実施形態に限定されず、その精神又は主要な特徴から逸脱することなく他の色々な形で実施することができる。
【００４７】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００４８】
以上説明したように、本発明に係る車両の後部荷室構造は、ボード部材を配設することなく、簡単な構造で容易に、リフトゲートを全開したときにトノカバー部材がリアピラーと干渉しないようにすることが必要な用途等に適用することができる。
【符号の説明】
【００４９】
２    車体後面開口部
３    リフトゲート
３ａ  被係合部
４    荷室
５    最後列シート
２４  下側壁トリム（リフトゲートトリム）
２５  側壁トリム（リフトゲートトリム）
３２  トノカバー部材
３４  巻取り装置
３５  カバー本体部分
３６  ボード部
４０  規制部
４２  当接部
【図１】
0005760790.tif 000002
【図２】
0005760790.tif 000003
【図３】
0005760790.tif 000004
【図４】
0005760790.tif 000005